(57)【特許請求の範囲】
【請求項１】
前方パネル（８）と、引出し側壁（１０）と、該引出し側壁（１０）上の少なくとも一部に提供された取付要素（１２）とを含んだ引出し（３）であって、前記取付要素（１２）は前記引出し側壁（１０）とは分離された装着体（１３）によって前記前方パネル（８）に固定されるものであり、前記装着体（１３）は、前記前方パネル（８）に固定するための少なくとも１つの固定位置（２１）と、前記取付要素（１２）を受領するための凹部（１５）とを有しており、前記取付要素（１２）は、前記装着体（１３）の凹部（１５）内に導入でき、その取付位置において垂直に延出する想像軸の周囲で旋回することを特徴とする引出し。
【請求項２】
前記装着体（１３）は、前記固定位置（２１）を有した固定部（１８）と、前記凹部（１５）を有した受領部（１９）とを有しており、該固定部（１８）は該受領部（１９）に解放可能に接続できることを特徴とする請求項１記載の引出し。
【請求項３】
前記固定部（１８）と前記受領部（１９）とは少なくとも１つのスナップ式の接続手段（２３）によって解放可能に相互接続できることを特徴とする請求項２記載の引出し。
【請求項４】
前記装着体（１３）の前記凹部（１５）は溝形態であることを特徴とする請求項１から３のいずれか1項に記載の引出し。
【請求項５】
前記受領部（１９）は、前記引出し側壁（１０）の上部側に当接することを特徴とする請求項２に記載の引出し。
【請求項６】
前記取付要素（１２）は、プレート状インサートの形態であることを特徴とする請求項１から５のいずれか１項に記載の引出し。
【請求項７】
前記取付要素（１２）は、ガラス製、木製、金属製、プラスチック製またはセラミック製であることを特徴とする請求項１から６のいずれか１項に記載の引出し。
【請求項８】
本引出し（３）は後壁（１１）を有しており、前記取付要素（１２）の後方端には固定装置（１６）が配置されており、該取付要素（１２）を前記後壁（１１）に対して固定させることを特徴とする請求項１から７のいずれか１項に記載の引出し。
【請求項９】
前記固定装置（１６）は、手によって作動され、制動位置において前記取付要素（１２）を前記後壁（１１）に対して固定し、解放位置にて前記取付要素（１２）を前記後壁（１１）に対して解放する少なくとも１つのグリップ要素（１７ａ、１７ｂ）を備えた本体部（２４）を有していることを特徴とする請求項８記載の引出し。
【請求項１０】
前記少なくとも１つのグリップ要素（１７ａ、１７ｂ）は、該グリップ要素（１７ａ、１７ｂ）の制動位置において前記後壁（１１）の肢部（１１ａ）を受領する受領スロット（２７）を有しており、前記肢部（１１ａ）は前記後壁（１１）から延出することを特徴とする請求項９記載の引出し。
【請求項１１】
前記グリップ要素（１７ａ、１７ｂ）は、前記解放位置と前記制動位置との間で、前記本体部（２４）に対して旋回式に取り付けられていることを特徴とする請求項９または１０記載の引出し。
【請求項１２】
前記グリップ要素（１７ａ、１７ｂ）は、膜ヒンジを介して前記本体部（２４）に対して取り付けられていることを特徴とする請求項１１記載の引出し。
【請求項１３】
前記グリップ要素（１７ａ、１７ｂ）は、使用位置にて水平に延出する軸の周囲で旋回式に取り付けられていることを特徴とする請求項１１または１２に記載の引出し。
【請求項１４】
前記本体部（２４）は、前記取付要素（１２）の後方端を受領するように提供されている挿入開口部（２６）を有していることを特徴とする請求項９から１３のいずれか１項に記載の引出し。
【請求項１５】
前記装着体（１３）はレールストラット（１４）を固定するための装置（２２）を有していることを特徴とする請求項１から１４のいずれか１項に記載の引出し。
【請求項１６】
請求項１から１５のいずれか１項に記載の引出しを少なくとも１つ含んでいることを特徴とする家具。
【発明の詳細な説明】
【技術分野】
【０００１】
本発明は、前方パネル、引出し側壁および引出し側壁の少なくとも一部に設けられた取付要素を含んだ引出しに関する。この取付要素は引出し側壁とは分離した装着体によって前方パネルに固定されるものであり、この装着体は前方パネルへの固定のための少なくとも１つの固定位置と、取付要素を受領するための凹部とを有しており、この取付要素は、装着体が前方パネルへ取り付けられた後に装着要素の凹部内に導入可能となる。
【０００２】
本発明はさらに、以下で説明する引出しを少なくとも１つ含んだ家具にも関する。
【背景技術】
【０００３】
引出し側壁の高さは取付要素の設置によって増加させることができ、それに伴って引出しの有効収納スペースを増加させることができる。取付要素は、例えば、加工内壁と加工外壁とを有した中空加工部材によって形成できる。あるいは取付要素はガラス製、木製、金属製、プラスチック製あるいはセラミック製の装飾的プレート状インサート（挿入体）の形態でもよい。
【０００４】
ＤＥ２０１１０５３１Ｕ１が記載する知られた方法では、取付フレーム部材が工具を利用することなく引出しに固定できる。この固定のため、取付フレーム部材の前端には、前方パネルに事前に設けられた孔穴にまず挿入され、取付フレーム部材の横方向旋回動作によって、その孔穴内で拡張される拡張ドエルが提供される。取付フレーム部材のさらなる旋回動作によって、取付フレーム部材の後端領域に設置された保持装置は引出し後壁にスナップ式に係合できる。
【０００５】
事前に組み入れられた装着体に後挿入することも可能なプレート状加工取付部材を備えた引出しはＥＰ１５１６５６１Ａ１、ＷＯ０３／０２４２７４Ａ１、ＤＥ２０２００８０１１５０５Ｕ１、ＵＳ４，６９０，４６９、ＤＥ２０２００８００９３９６Ｕ１およびＤＥ２０２００９００２２４２Ｕ１において解説されている。これら構造物の弱点は取り付け部材の導入に必要なスペースが大きいことである。
【先行技術文献】
【特許文献】
【０００６】
【特許文献１】ＤＥ２０１１０５３１Ｕ１公報
【特許文献２】ＥＰ１５１６５６１Ａ１公報
【特許文献３】ＷＯ０３／０２４２７４Ａ１公報
【特許文献４】ＤＥ２０２００８０１１５０５Ｕ１公報
【特許文献５】ＵＳ４，６９０，４６９公報
【特許文献６】ＤＥ２０２００８００９３９６Ｕ１公報
【特許文献７】ＤＥ２０２００９００２２４２Ｕ１公報
【発明の概要】
【発明が解決しようとする課題】
【０００７】
本発明の目的は上述の弱点を回避しつつ、当初に述べた種類の引出しに対する取付要素の装着を単純化することである。
【課題を解決するための手段】
【０００８】
本発明によれば、この目的は請求項１の特徴によって達成される。本発明のさらなる有利な形態は従属請求項において記載されている。
【０００９】
従って本発明によれば、取付要素は装着体の凹部内に導入でき、その後に取付位置において実質的に垂直に延出する想像軸の周囲で旋回する。
【００１０】
言い換えると、凹部に導入された後に、取付要素は引出し本体の中央の方向に側方旋回できる。従って、取付要素の側方旋回動作とは、高さ方向には増加したスペースの必要がないことを意味する。これは特に複数の引出しが、積み重ねられているときに開位置に存在する場合に有利である。この場合には、引出しに取り付けられる取付要素によって引出しの上方にそれぞれ配置される引出しが取付要素の装着を妨害することはない。
【００１１】
通常の構造体を提供するために、引出し前方パネル、引出し側壁および引出し後方壁が既に組み立てられているときであっても、引出しには取付要素が選択的に提供される。この点に関して、引出しに対する取付要素のモジュール式接続、並びに、実行が容易な取り外しが引出しを外す必要なく可能である。
【００１２】
装着体は提供された装着位置において前方パネルの裏側にまず固定でき、装着体を取り付けた後に取付要素は提供された凹部に導入可能であり、前方パネルに対して固定される。従って、引出し側壁及び／又はレールに取付要素のための固定手段を提供することは不要になる。なぜなら、取付要素の装着および取り外しは、これら構成材と独立して実行できるからである。
【００１３】
装着体は複数部品を含んだ構造物でよい。好適には装着体は固定位置を有した固定部と、凹部を有した受領部とを有しており、固定部は受領部に解放可能に接続可能である。このように取付要素は、前方パネルに事前装着されている装着体の凹部に直接的に導入が可能とされるか、あるいは、まず受領部を取付要素に接続し、その後に受領部を前方パネルに事前装着された装着体の固定部に接続することが可能である。この場合、取付要素の取り外しはいつでも行うことができ、装着体の固定部は前方パネル上で一定に保たれる。
【００１４】
接続の有利で可能な形態は、固定部と受領部を相互接続可能とし、好適には解放可能なように少なくとも１つのスナップ式接続によって相互接続を可能とすることである。
【図面の簡単な説明】
【００１５】
【図１】図１は、家具枠体と移動可能な引出しとを含んだ家具の斜視図である。
【図２】図２は、引出しの斜視図である。
【図３ａ】図３ａから図３ｄは、連続的な取付けステップによる取付要素の引出しへの取り付け手順を示す図である。
【図３ｂ】図３ａから図３ｄは、連続的な取付けステップによる取付要素の引出しへの取り付け手順を示す図である。
【図３ｃ】図３ａから図３ｄは、連続的な取付けステップによる取付要素の引出しへの取り付け手順を示す図である。
【図３ｄ】図３ａから図３ｄは、連続的な取付けステップによる取付要素の引出しへの取り付け手順を示す図である。
【図４ａ】図４ａと図４ｂは、取り付けられる２部品で成る装着体を備えた前方パネルの裏側の状態を分解図および掛け留め状態で示す図である。
【図４ｂ】図４ａと図４ｂは、取り付けられる２部品で成る装着体を備えた前方パネルの裏側の状態を分解図および掛け留め状態で示す図である。
【図５ａ】図５ａと図５ｂは、引出しの後方端領域の部分切欠き斜視図である。
【図５ｂ】図５ａと図５ｂは、引出しの後方端領域の部分切欠き斜視図である。
【発明を実施するための形態】
【００１６】
本発明の家具は、本発明の少なくとも１つの引出しを特徴とする。
【００１７】
本発明のさらなる詳細と利点は添付図面の実施例を利用して以下で詳細に説明される。
【実施例】
【００１８】
図１は家具１の斜視図である。家具１は、引出し延出ガイド４によってキャビネット形態の家具枠体２に対して相対的に移動可能に取り付けられた複数の引出し３を有している。引出し延出ガイド４は、家具枠体２に固定される枠体レール５と、引出し３に固定される引出しレール７と、枠体レール５と引出しレール７との間で移動できる中央レール６とを公知の形態で有している。それぞれの引出し３は、前方パネル８、引出し底部９、引出し側壁１０および引出し後壁１１を有する。
【００１９】
図２は引出し３の後方からの斜視図である。引出し３は、前方パネル８、引出し底部９、側壁１０および後壁１１を含んでいる。側壁１０の上方には、例えばガラス、木材、金属、プラスチックまたはセラミックを含んだプレート状インサートの形態でよい取付要素１２が配置されている。反対側の側壁１０のプレート状取付要素１２は図示されていない。レールストラット（筋かい）１４はオプションで取付要素１２に配置できる。取付要素１２は前方パネル８の裏側に取り付けられる装着体１３によって固定でき、装着体１３は取付要素１２の前端を受領するための垂直に延伸する溝の形態の凹部１５を有する。
【００２０】
図３ａから図３ｄは引出し３への取付要素１２の取り付けステップを示す。取付要素１２は装着体１３の凹部１５に側方から傾斜状態で挿入される。この点に関しては凹部１５を口広形態として取付要素１２を容易に凹部に導入させることができる。凹部１５を備えた装着体１３は、好適には緩んだ状態で側壁１０の上側に支持されるが、クランプ係合形態及び／又はロック形態で側壁１０の上縁を囲むこともできる。
【００２１】
図３ｂでは取付要素１２は装着体１３の凹部１５内に配置される。取付要素１２の後端には、取付要素１２を後壁１１に対して固定させる固定装置１６が取り付けられている。取付要素１２が装着体１３の凹部１５内に導入された後に、取付要素１２は取り付け位置にて実質的に垂直に延びる想像上の軸の周囲で側壁１０の方向に旋回できる。
【００２２】
引出し箱の中央方向に取付要素１２がさらに旋回するおかげで、取付要素１２は図３ｃで示される位置に来ることがきる。図示の実施例では、固定装置１６は２つのグリップ要素１７ａと１７ｂを有する。これら要素は手動で作動され、拘束位置にて後壁１１に取付要素１２をポジティブロック方式及び／又は強制ロック方式で固定し、解放位置にて後壁１１から取付要素１２を解放する。図３ｄで示すように、取付要素１２は上方グリップ要素１７ａの上方旋回動作および下方グリップ要素１７ｂの下方旋回動作によって固定できる。
【００２３】
図４ａは装着体１３が取り付けられる前方パネル８の裏側を示す。この実施例では装着体１３は２部材構造であり、少なくとも１つの固定位置２１で前方パネル８に接続される固定部１８を含む。図示の実施例では、固定位置２１は、前方パネル８内に埋め込まれるネジの通過のために提供される孔部の形態である。固定部１８は、装置２２内にクランプ式に固定されるレールストラット１４を固定するための装置２２をさらに含む。装着体１３の第２部材は受領部１９を形成し、その上に凹部１５が提供されて取付要素１２の前端を受領する。凹部１５はＵ形状断面の溝形態であり、取付要素１２の厚みより幅広い。凹部１５の長さは、実質的に取付要素１２の高さに対応する。受領部１９は固定部１８に掛け留めでき、そのために受領部１９には前方パネル８に取り付けられた固定部１８の背後の掛け留め位置で係合する突起部２３が提供される。好適には受領部１９である装着体１３は、取付要素１２の下側を支持できる支持部３０を有する。
【００２４】
図４ｂは受領部１９と固定部１８との間の掛け留め位置を示す。前方パネル８には、知られた形態で引出し側壁１０の前端に導入でき、従来のロック機構によってそこに解除可能に掛け留めできる保持部２０が固定される。
【００２５】
図５ａは引出し３の後方端領域の一部切欠き斜視図を示す。そこには引出し底部９、側壁１０および後方に曲げられた肢部１１ａを有する後壁１１が図示されている。後壁１１の肢部１１ａは、取付要素１２の後方端で支持される固定具１６と協調する。固定具１６は、取付要素１２を受領する挿入開口部２６を備えた本体部２４を含む。２つのグリップ要素１７ａと１７ｂはそれぞれの膜ヒンジ２５によって本体部２４に旋回式に接続される。膜ヒンジ２５の旋回軸は好適には使用位置で実質的に水平に延びている。２つのグリップ要素１７ａと１７ｂのそれぞれは、制動位置（図５ｂ）において後方に曲げられた肢部１１ａを受領する受領スロット２７を有する。よって図５ａはグリップ要素１７ａと１７ｂの解放位置を示し、取付要素１２を引出し３から外すことが可能である。一方、図５ｂはグリップ要素１７ａと１７ｂの制動位置を示し、取付要素１２は引出し３に対して固定される。取付要素１２の取り付け、及び／又は取り外しは工具を利用せずに可能である。すなわち手だけで可能であり、工具を使用する必要がない。固定具１６はプラスチック材料により完全に一体的に形成できるが、射出成型プロセスによっても問題なく可能である。
【００２６】
本発明は図示の実施例のみに限定されず、「請求の範囲」で定義した範囲の変形および技術的均等物にも及ぶ。本明細書で言及されている上下、横方向等の位置的表現は、これらの図示おいてのみのことであり、図面が変われば個々に対応すべきものである。取付要素１２は、好適には方形のブロック挿入体（好適には８ｍｍから１５ｍｍの厚み）である。さらに取付要素１２の後方端を固定具１６によって後壁１１にまず固定し、その後に、取付要素１２の前端を前方パネル８に取り付けられた装着体１３に接続することができる。この目的で装着体１３は旋回式に取り付けられる閉鎖キャップを有することもでき、それによって取付要素１２は装着体１３の凹部１５内に導入された後に固定できる。
【図１】
0006038907.tif 000002
【図２】
0006038907.tif 000003
【図３ａ】
0006038907.tif 000004
【図３ｂ】
0006038907.tif 000005
【図３ｃ】
0006038907.tif 000006
【図３ｄ】
0006038907.tif 000007
【図４ａ】
0006038907.tif 000008
【図４ｂ】
0006038907.tif 000009
【図５ａ】
0006038907.tif 000010
【図５ｂ】
0006038907.tif 000011